【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】
画像データに基づいて、所定位置から直線上の被投射部へ光ビームを走査投射することによって画像形成を行う画像形成装置において、
画素ごとの画像データを受信する受信手段と、
光ビームが投射されるべき前記被投射部の位置に応じ、１画素当たりの最大発光時間を決定する最大発光時間決定手段と、
前記最大発光時間決定手段で決定された最大発光時間と前記受信手段によって受信された各画素の画像データとに応じ、所定の発光デューティをもつ光ビームパルスを生成するパルス幅変調ビーム生成手段と、
画素ごとに、前記パルス幅変調ビーム生成手段によって生成された光ビームパルスを前記被投射部へ走査投射する投射手段と
を有することを特徴とする画像形成装置。
【請求項２】
所定の第１の周期をもつ第１のクロックパルスを発生する第１のクロック発生手段と、
前記第１の周期を所定数倍した長さの第２の周期をもつ第２のクロックパルスを発生する第２のクロック発生手段とを、さらに有し、
前記受信手段、前記最大発光時間決定手段、前記パルス幅変調ビーム生成手段、および前記投射手段は、前記第２のクロックパルスの発生に同期して動作するとともに、前記第２のクロックパルスの１つを１つの画素に対応付けて動作することを特徴とする請求項１記載の画像形成装置。
【請求項３】
前記最大発光時間決定手段は、前記第２のクロックパルスの発生数に応じて、光ビームが投射されるべき前記被投射部の位置を認識することを特徴とする請求項２記載の画像形成装置。
【請求項４】
前記最大発光時間決定手段は、光ビームが投射されるべき前記被投射部の位置が前記被投射部の端部に近づくほど、前記最大発光時間を短く設定することを特徴とする請求項１に記載の画像形成装置。
【請求項５】
光ビームを反射する回転多面体と、
前記回転多面体から反射された光ビームが照射される円筒状の感光体とを、さらに有し、
前記所定位置は前記回転多面体上の光ビーム反射位置であり、前記被投射部は前記感光体の表面であることを特徴とする請求項１に記載の画像形成装置。
【請求項６】
画像データに基づいて、所定位置から直線上の被投射部へ光ビームを走査投射することによって画像形成を行う画像形成装置において、
画素ごとの画像データを受信する受信手段と、
光ビームが投射されるべき前記被投射部の位置に応じ、１画素当たりの周期を決定する周期決定手段と、
前記周期決定手段で決定された周期と、前記受信手段によって受信された各画素の画像データに応じ、所定の発光デューティを生成する変調パルス生成手段と、
画素ごとに、前記変調パルス生成手段によって生成された所定の発光デューティに従って光ビームを出力する出力手段と、
前記被投射部へ前記光ビームを走査投射する投射手段と
を有することを特徴とする画像形成装置。
【請求項７】
前記周期決定手段は、縦続接続された所定数のフリップフロップと、該フリップフロップの各出力端子に各一方の入力端子がそれぞれ接続され、各他方の入力端子に前記受信手段の出力信号が入力される論理積回路と、前記所定数のフリップフロップで構成される縦続接続回路の縦続接続数を、前記被投射部へ前記光ビームを投射する時間に応じて選択する選択手段とから成ることを特徴とする請求項６記載の画像形成装置。
【請求項８】
画像データに基づいて、所定位置から、回転する円筒体の表面の、軸方向に延び、回転方向に互いに離れた複数の直線上に、異なる複数の画素に関わる複数の光ビームを同時に走査投射することによって画像形成を行う画像形成装置において、
画素ごとの画像データを受信する受信手段と、
前記複数の光ビームのうち１つが投射されるべき前記円筒体の位置に応じて、１画素当たりの光ビームの最大発光時間を決定する最大発光時間決定手段と、
前記受信手段によって受信された各画素の画像データと前記最大発光時間決定手段により決定した最大発光時間とに応じた少なくとも一つの光ビームを生成する第１の生成手段と、
前記受信手段によって受信された各画素の画像データに応じた少なくとも一つの光ビームを生成する第２の生成手段と
を有することを特徴とする画像形成装置。
【請求項９】
所定の第１の周期をもつ第１のクロックパルスを発生する第１のクロック発生手段と、
前記第１の周期を所定数倍した長さの第２の周期をもつ第２のクロックパルスを発生する第２のクロック発生手段とを、さらに有し、
前記受信手段、前記最大発光時間決定手段、前記第１の生成手段、及び前記第２の生成手段は、前記第２のクロックパルスの発生に同期して動作するとともに、前記第２のクロックパルスの１つを１つの画素に対応付けて動作することを特徴とする請求項８記載の画像形成装置。
【請求項１０】
前記最大発光時間決定手段は、前記第２のクロックパルスの発生数に応じて、光ビームが投射されるべき前記円筒体の軸方向の位置を認識することを特徴とする請求項９記載の画像形成装置。
【請求項１１】
前記最大発光時間決定手段は、光ビームが投射されるべき前記円筒体の軸方向の複数の所定位置において、前記光ビームの投射時間を長く設定することを特徴とする請求項８に記載の画像形成装置。
【請求項１２】
画像データに基づいて、所定位置から、回転する円筒体の表面の、軸方向に延び、回転方向に互いに離れた複数の直線上に、異なる複数の画素に関わる複数の光ビームを同時に走査投射することによって画像形成を行う画像形成装置において、
画素ごとの画像データを受信する受信手段と、
前記複数の光ビームのうち１つが投射されるべき前記円筒体の位置に応じ、１画素当たりの周期を決定する周期決定手段と、
前記周期決定手段で決定された周期と、前記受信手段によって受信された各画素の画像データに応じ、所定の発光デューティを生成する第１の変調パルス生成手段と、
前記受信手段によって受信された各画素の画像データに応じ、所定の発光デューティを生成する第２の変調パルス生成手段と、
画素ごとに、前記第１及び第２の変調パルス生成手段によって生成された発光デューティに従って光ビームを出力する出力手段と、
前記出力手段によって出力された光ビームを前記円筒体へ投射する投射手段と
を有することを特徴とする画像形成装置。
【請求項１３】
前記周期決定手段は、縦続接続された所定数のフリップフロップと、該フリップフロップの各出力端子に各一方の入力端子がそれぞれ接続され、各他方の入力端子に前記受信手段の出力信号が入力される論理積回路と、前記所定数のフリップフロップで構成される縦続接続回路の縦続接続数を、前記光ビームの投射時間に応じて選択する選択手段とから成ることを特徴とする請求項１２記載の画像形成装置。
【請求項１４】
光学系を介して撮像素子に送られた原稿画像を、該撮像素子によって画素ごとに読み取り、画素ごとの画像データ出力する画像読取装置において、
前記撮像素子による各画素における周期を決定する周期決定手段と、
前記撮像素子に送られた原稿画像を、画素ごとに、前記周期決定手段で決定された周期で読み取り、画像データを出力する出力手段と
を有することを特徴とする画像読取装置。
【請求項１５】
前記周期決定手段は、前記光学系の調整に伴って外部から入力された情報に従って画像読取時間を決定することを特徴とする請求項１４記載の画像読取装置。
【請求項１６】
所定の第１の周期をもつ第１のクロックパルスを発生する第１のクロック発生手段と、
前記第１の周期を所定数倍した長さの第２の周期をもつ第２のクロックパルスを発生する第２のクロック発生手段とを、さらに有し、
前記出力手段は、前記第２のクロックパルスの発生に同期して動作するとともに、前記第２のクロックパルスの１つを１つの画素に対応付けて動作する請求項１４記載の画像読取装置。
【請求項１７】
前記出力手段は、前記第２のクロックパルスの発生数に応じて、前記撮像素子によって読み取られるべき画素を認識することを特徴とする請求項１６記載の画像読取装置。
【手続補正２】
【補正対象書類名】明細書
【補正対象項目名】００１１
【補正方法】変更
【補正の内容】
【００１１】
【課題を解決するための手段】
上記目的を達成するために、請求項１記載の発明によれば、画像データに基づいて、所定位置から直線上の被投射部へ光ビームを走査投射することによって画像形成を行う画像形成装置において、画素ごとの画像データを受信する受信手段と、光ビームが投射されるべき前記被投射部の位置に応じ、１画素当たりの最大発光時間を決定する最大発光時間決定手段と、前記最大発光時間決定手段で決定された最大発光時間と前記受信手段によって受信された各画素の画像データとに応じ、所定の発光デューティをもつ光ビームパルスを生成するパルス幅変調ビーム生成手段と、画素ごとに、前記パルス幅変調ビーム生成手段によって生成された光ビームパルスを前記被投射部へ走査投射する投射手段とを有することを特徴とする画像形成装置が提供される。